(57)【要約】【課題】携帯端末の外部環境及び内部環境に応じてブラウザ設定を自動変更することが可能な携帯端末を提供することを目的とする。【解決手段】ブラウザを用いて外部のサーバから情報を取得し、該情報を外部に出力する携帯端末であって、サーバから受信するデータまたは受信しないデータの種別をブラウザ設定情報として記憶する記憶部と、前記ブラウザ設定情報に基づいてブラウザを起動させる実行部と、前記ブラウザに基づく実行部の制御の下にサーバから情報を受信する通信部とを具備する。【選択図】図１
2008278020.tif 000002
【特許請求の範囲】
【請求項１】
ブラウザを用いて外部のサーバから情報を取得し、該情報を外部に出力する携帯端末であって、
サーバから受信するデータまたは受信しないデータの種別をブラウザ設定情報として記憶する記憶部と、
前記ブラウザ設定情報に基づいてブラウザを起動させる実行部と、
前記ブラウザに基づく実行部の制御の下にサーバから情報を受信する通信部と
を具備することを特徴とする携帯端末。
【請求項２】
ブラウザ設定情報は、複数のブラウザの中から特定のブラウザを選択するためのブラウザ選択条件をさらに含み、
実行部は、ブラウザ選択条件に基づいて１つのブラウザを選択的に起動させる
ことを特徴とする請求項１記載の携帯端末。
【請求項３】
前記ブラウザ設定情報を入力する操作部をさらに備え、
前記ブラウザ設定情報は、操作部から入力されることにより指定ＵＲＬ（Uniform Resource Locator）毎に設定されて前記記憶部に記憶される
ことを特徴とする請求項１または２記載の携帯端末。
【請求項４】
前記ブラウザ設定情報は、指定ＵＲＬ（Uniform Resource Locator）に代えて電池残量に応じて設定されることを特徴とする請求項１または２記載の携帯端末。
【請求項５】
前記ブラウザ設定情報は、指定ＵＲＬ（Uniform Resource Locator）に代えて通信品質に応じて設定されることを特徴とする請求項１または２記載の携帯端末。
【請求項６】
データの種別には、画像データ、音声データ及び／あるいはスクリプトが含まれることを特徴とする請求項１〜５のいずれかに記載の携帯端末。
【発明の詳細な説明】
【技術分野】
【０００１】
本発明は、携帯端末に関する。
【背景技術】
【０００２】
周知のように、現在、携帯電話やＰＨＳ等の携帯端末にはＷｅｂブラウザが搭載されたおり、そのＷｅｂブラウザの処理によって、パケット通信等でＷｅｂサーバからＷｅｂ情報の取得を行い、Ｗｅｂページ等を出力する。そして、携帯端末では、ユーザによって登録された各種ブラウザ設定に基づき、Ｗｅｂブラウザの処理が行われ、携帯端末の各種ブラウザ設定は、ユーザによる携帯端末の操作でのみ変更が可能な固定的な設定となっている。
なお、下記特許文献１では、パーソナルコンピュータ等の固定端末のＷｅｂブラウザの環境設定方法に関して、ＬＡＮ接続、ダイヤルアップ接続、またはＩＳＤＮ接続等の接続されるネットワーク形態に応じて、自動で環境設定を変更することが出来る方法及びプログラムが開示されている。
【特許文献１】特開２００４−２６５１２３号公報
【発明の開示】
【発明が解決しようとする課題】
【０００３】
ところで、上記従来技術の携帯端末では、ブラウザ設定をユーザが携帯端末を操作することによって変更することが出来るが、Ｗｅｂサーバへの接続環境等の外部環境及び電池残量等の内部環境に応じて自動変更することが出来ない。
【０００４】
本発明は、上述した事情を鑑みてなされたものであり、携帯端末の外部環境及び内部環境に応じてブラウザ設定を自動変更することが可能な携帯端末を提供することを目的とする。
【課題を解決するための手段】
【０００５】
上記目的を達成するために、本発明では、携帯端末に係る第１の解決手段として、
ブラウザを用いて外部のサーバから情報を取得し、該情報を外部に出力する携帯端末であって、
サーバから受信するデータまたは受信しないデータの種別をブラウザ設定情報として記憶する記憶部と、
前記ブラウザ設定情報に基づいてブラウザを起動させる実行部と、
前記ブラウザに基づく実行部の制御の下にサーバから情報を受信する通信部と
を具備するという手段を採用する。
【０００６】
本発明では、携帯端末に係る第２の解決手段として、上記第１の解決手段において
ブラウザ設定情報は、複数のブラウザの中から特定のブラウザを選択するためのブラウザ選択条件をさらに含み、
実行部は、ブラウザ選択条件に基づいて１つのブラウザを選択的に起動させる
という手段を採用する。
【０００７】
本発明では、携帯端末に係る第３の解決手段として、上記第１または第２の解決手段において、
前記ブラウザ設定情報を入力する操作部をさらに備え、
前記ブラウザ設定情報は、操作部から入力されることにより指定ＵＲＬ（Uniform Resource Locator）毎に設定されて前記記憶部に記憶される
という手段を採用する。
【０００８】
本発明では、携帯端末に係る第４の解決手段として、上記第１または第２の解決手段において、
前記ブラウザ設定情報は、指定ＵＲＬ（Uniform Resource Locator）に代えて電池残量に応じて設定されるという手段を採用する。
【０００９】
本発明では、携帯端末に係る第５の解決手段として、上記第１または第２の解決手段において、
前記ブラウザ設定情報は、指定ＵＲＬ（Uniform Resource Locator）に代えて通信品質に応じて設定されるという手段を採用する。
【００１０】
本発明では、携帯端末に係る第６の解決手段として、上記第１〜第５のいずれかの解決手段において、
データの種別には、画像データ、音声データ及び／あるいはスクリプトが含まれるという手段を採用する。
【発明の効果】
【００１１】
本発明によれば、携帯端末は、記憶部に指定ＵＲＬ、また電池残量、または通信品質に応じて記憶されたブラウザ設定情報に基づきブラウザの起動を行う為、ブラウザ設定を指定ＵＲＬ、また電池残量、または通信品質に応じて自動変更することが可能となる。
【発明を実施するための最良の形態】
【００１２】
以下、図面を参照して、本発明の一実施形態について説明する。本実施形態は、携帯端末の１つであるＰＨＳ（Personal Handy-phone System）端末に関する。
図１は本実施形態に係るＰＨＳ端末Ａの機能ブロック図である。ＰＨＳ端末Ａは、図１に示すように、通信部１、操作部２、表示部３、音声出力部４及び制御部１０から構成される。
【００１３】
通信部１は、図示していないＷｅｂサーバとインターネット等を介して各種信号の送受信を行うことにより、Ｗｅｂサーバ内に登録された各種のＷｅｂサイトからＷｅｂ情報を取得して制御部１０に出力する。上記Ｗｅｂ情報は、ＨＴＭＬ（HyperText Markup Language）等のマークアップ言語によって記述され、文字情報、画像情報及び音声情報等が複合化された複合情報である。
【００１４】
操作部２は、電源キー、テンキー及び各種ファンクションキー等の各種操作キーから構成されており、これらの操作キーに対するユーザの操作指示を受け付けて制御部１０に出力する。
表示部３は、例えば液晶モニタまたは有機ＥＬモニタ等であり、制御部１０から入力される表示信号に基づいて各種画像や文字を表示する。
音声出力部４は、スピーカを備えており、制御部１０から入力される音声信号をスピーカによって音声に変換して外部に出力する。
【００１５】
制御部１０は、設定記憶部１１、プログラム記憶部１２及び実行部１３等から構成されている。設定記憶部１１（記憶部）は、本ＰＨＳ端末Ａに関する各種設定情報を記憶するものであり、ブラウザ設定テーブルが記憶されたブラウザ設定記憶領域１１ａを備えている。上記ブラウザ設定テーブルは、上記各種設定情報のうち、後述するブラウザに関する各種設定情報（ブラウザ設定情報）が登録されたデータテーブルである。
【００１６】
プログラム記憶部１２は、実行部１３で実行される第１ブラウザ１２ａ、第２ブラウザ１２ｂ、第３ブラウザ１２ｃ等の各種アプリケーションプログラムを記憶する。第１ブラウザ１２ａは、携帯端末専用Ｗｅｂページのみ表示することが可能な携帯端末専用ブラウザであり、第２ブラウザ１２ｂ及び第３ブラウザ１２ｃは、携帯端末専用Ｗｅｂページだけではなくパーソナルコンピュータ等で表示可能なＷｅｂページも表示することができるフルブラウザである。
実行部１３は、設定記憶部１１に記憶された各種設定情報、プログラム記憶部１２に記憶された各種アプリケーションプログラム、通信部１が受信した受信情報及び操作部２から入力される操作情報に基づいて、ＰＨＳ端末Ａの全体動作を制御する。
【００１７】
図２は、上記ブラウザ設定テーブルの設定状態を示す模式図である。ブラウザ設定テーブルは、この模式図に示すように、画像データ取得設定、音声データ取得設定、スクリプト取得設定、ブラウザ選択設定からなる各種設定項目の設定値が指定ＵＲＬ毎に登録されたものである。画像データ取得設定は、ＪＥＰＧ形式、ＧＩＦ形式及びＦＬＡＳＨ形式等の画像データをＷｅｂサーバから受信するか否かを示す設定項目であり、設定値が「ＯＮ」の場合は画像データを受信することを示し、一方、「ＯＦＦ」の場合には画像データを受信しないことを示している。
【００１８】
音声データ取得設定は、ＭＰ３形式等の音声データをＷｅｂサーバから受信するか否かを示す設定項目であり、設定値が「ＯＮ」の場合は音声データを受信することを示し、一方、「ＯＦＦ」の場合には音声データを受信しないことを示している。スクリプト取得設定は、ＪａｖａＳｃｒｉｐｔ（登録商標）等で記述されたスクリプトをＷｅｂサーバから受信するか否かを示す設定項目であり、設定値が「ＯＮ」の場合はスクリプトを受信することを示し、一方、「ＯＦＦ」の場合にはスクリプトを受信しないことを示している。
【００１９】
ブラウザ選択設定は、本実施形態におけるブラウザ選択条件に相当するものであり、上記第１ブラウザ１２ａ、第２ブラウザ１２ｂ、第３ブラウザ１２ｃのうち、何れのブラウザを使用するかを示す設定項目であり、設定値が例えば「第１ブラウザ」の場合には上記第１ブラウザ１２ａを選択的に使用してＷｅｂ情報を取得することを示している。
なお、図２には、指定ＵＲＬとして「デフォルト」及び当該デフォルトについてのブラウザ設定の設定値が登録されているが、これら設定情報は、標準的なブラウザ設定の設定値として本ＰＨＳ端末Ａのメーカ等が予め登録したものである。
【００２０】
このようなブラウザ設定テーブルの指定ＵＲＬ及び当該指定ＵＲＬのブラウザ設定は、ユーザの指示に基づいてブラウザ設定記憶領域１１ａに記憶されたものである。すなわち、本ＰＨＳ端末Ａのユーザは、操作部２を操作することにより指定ＵＲＬ及び当該指定ＵＲＬのブラウザ設定をブラウザ設定記憶領域１１ａに記憶される。
【００２１】
次に、上記構成のＰＨＳ端末Ａの動作について、図３に示すフローチャートを参照して詳しく説明する。
【００２２】
ユーザが操作部２に所定のＵＲＬ（Uniform Resource Locator）（接続先ＵＲＬ）を入力すると、操作部２は当該接続先ＵＲＬを実行部１３に出力する。実行部１３は、操作部２から上記接続先ＵＲＬが入力されると、接続先ＵＲＬに関連付けられた所望のＷｅｂサイトへのアクセスが指示されたと判断する（ステップＳ１）。
【００２３】
そして、実行部１３は、上記ブラウザ設定テーブルを検索することにより、上記接続先ＵＲＬに該当する指定ＵＲＬが登録されているか否かを判定し（ステップＳ２）、この判定が「ＮＯ」の場合は、ブラウザ設定テーブルに「デフォルト」として登録された指定ＵＲＬのブラウザ設定の各設定値をブラウザ設定テーブルから取得し（ステップＳ３）、上記判定が「ＹＥＳ」の場合には、接続先ＵＲＬに該当する指定ＵＲＬのブラウザ設定の各設定値をブラウザ設定テーブルから取得する（ステップＳ４）。
【００２４】
実行部１３は、このようにしてブラウザ設定テーブルから取得したブラウザ設定の各設定値のうち、ブラウザ選択設定の設定値に合致するブラウザを起動させる（ステップＳ５）。ここで、上記接続先ＵＲＬが例えば「http//□□□.co.jp」であった場合、実行部１３は、画像データ取得設定の設定値＝「ＯＮ」、音声データ取得設定の設定値＝「ＯＮ」、スクリプト取得設定の設定値＝「ＯＦＦ」、ブラウザ選択設定の設定値＝「第３ブラウザ」をブラウザ設定テーブルから取得するので、画像データ及び音声データの受信を行うがスクリプトについては受信しないという設定で第３ブラウザ１２ｃを起動させる。
【００２５】
このようにして起動した第３ブラウザ１２ｃに基づいて動作する実行部１３は、通信部１を介してＷｅｂサーバと交信することにより接続先ＵＲＬのＷｅｂサイトが提供するＷｅｂ情報を取得し（ステップＳ６）、このＷｅｂ情報内の画像データに基づいた画面を表示部３に表示させると共に、Ｗｅｂ情報内の音声データに基づいた音声を音声出力部４に発音させる（ステップＳ７）。
【００２６】
しかしながら、第３ブラウザ１２ｃがＷｅｂ情報に本来含まれているスクリプトをＷｅｂサーバから受信しない設定になっているので、実行部１３は、通信部１にＷｅｂ情報中に含まれる画像データ及び音声データについては受信させるが、スクリプトについては受信させない。したがって、実行部１３がＷｅｂ情報に基づいて表示部３に表示させる画面は画像と文字とを含む通常画面となり、また音声出力部４は通常のように音声を発生するが、スクリプトに基づく効果は発生しない。
【００２７】
本実施形態によれば、実行部１３は、ユーザから接続先ＵＲＬが指示されると、ユーザが予め指定してブラウザ設定テーブルに予め登録されたブラウザ設定の設定値を取り込み、処理を行う為、接続先ＵＲＬ毎（つまり指定ＵＲＬ毎）にユーザ自らが意図するブラウザ設定の設定へ自動に切り替わり、Ｗｅｂサーバにアクセスすることができる。
【００２８】
また、実行部１３が指定ＵＲＬ毎のブラウザ選択設定の設定値に基づいて、第１ブラウザ１２ａ、また第２ブラウザ１２ｂ、または第３ブラウザ１２ｃを起動することで、携帯端末専用のＷｅｂページ、またパーソナルコンピュータ等で表示可能なＷｅｂページに応じて、ユーザはブラウザの使い分けを自動で行うことが可能となる。
さらに、実行部１３がブラウザ設定テーブルに予め登録された画像データ取得設定、音声データ取得設定及びスクリプト取得設定でブラウザを起動させるので、ユーザは、自らが意図するブラウザ設定でＷｅｂ情報を取得することができる。
【００２９】
以上、本発明の一実施形態について説明したが、本発明は上記実施形態に限定されることなく、例えば以下のような変形が考えられる。
（１）上記実施形態では、指定ＵＲＬに対して各種ブラウザ設定を対応づけたが、電池残量に応じて、ブラウザ設定の設定値を登録できるようにしてもよい。
電池の電圧が所定の電圧より小さくなってしまった場合に、ブラウザ設定の設定値に基づき画像データ非取得、音声データ非取得及びスクリプト非取得を行うことで、通信で消費される電力を抑えることが出来る。
【００３０】
（２）上記実施形態では、指定ＵＲＬに対してブラウザ設定を対応づけたが、通信品質に応じて、ブラウザ設定の設定値を登録できるようにしてもよい。
通信の電界強度が所定の電界強度より劣化した場合に、画像データ非取得、音声データ非取得、スクリプト非取得を行うことで、Ｗｅｂサーバより取得するＷｅｂ情報のサイズを小さくすることができ、通信を高速化することが出来る。
【図面の簡単な説明】
【００３１】
【図１】本発明の一実施形態に係るＰＨＳ端末Ａの機能ブロック図である。
【図２】本発明の一実施形態に係るＰＨＳ端末Ａのブラウザ設定テーブルの設定状態を示す模式図である。
【図３】本発明の一実施形態に係るＰＨＳ端末Ａの動作のフローチャートである。
【符号の説明】
【００３２】
Ａ…ＰＨＳ端末、１…通信部、２…操作部、３…表示部、４…音声出力部、１０…制御部、１１…設定記憶部（記憶部）、１１ａ…ブラウザ設定記憶領域、１２…プログラム記憶部、１２ａ…第１ブラウザ、１２ｂ…第２ブラウザ、１２ｃ…第３ブラウザ、１３…実行部
【図１】
2008278020.tif 000003
【図２】
2008278020.tif 000004
【図３】
2008278020.tif 000005